(57)【特許請求の範囲】
【請求項１】
キーとキーとの間を区切るコスメティックフレームを備えたキーボードの取付構造において、
前記キーボードの下面に開口する係止穴を前記コスメティックフレームに設ける一方、前記係止穴に係止される係止爪を前記キーボードが取り付けられるベースフレームに設け、
前記係止穴を、前記コスメティックフレームにおいて左右方向に隣り合うキーとキーとの間を区切る境界部分に設けたことを特徴とするキーボードの取付構造。
【請求項２】
前記係止穴は、前記係止爪を収容する収容部と、前記収容部が前記係止爪を収容した状態で前記係止穴と前記係止爪とを相対的にスライド移動させた場合に前記係止爪が係止される係止部とを有することを特徴とする請求項１に記載のキーボードの取付構造。
【請求項３】
前記コスメティックフレームに前記係止穴を複数設ける一方、複数設けられた係止穴のうち取付強度を確保可能な任意の係止穴に対応する係止爪を前記ベースフレームに設けたことを特徴とする請求項１または２に記載のキーボードの取付構造。
【発明の詳細な説明】
【技術分野】
【０００１】
本発明は、パーソナルコンピュータなどの電子機器に搭載されるキーボードの取付構造に関する。
【背景技術】
【０００２】
パーソナルコンピュータなどの電子機器に搭載されるキーボードの下面に下方に向けて突出する係止爪を複数設ける一方、キーボードを搭載する電子機器本体の上面にキーボードに設けた係止爪が係止される係止穴を複数設け、キーボードの下面に設けた係止爪が電子機器本体に設けた係止穴に係止された状態で、電子機器本体とキーボードとをねじ止めすることにより、キーボードを電子機器本体に取り付けたキーボードの取付構造が提案されている（たとえば、特許文献１参照）。
【先行技術文献】
【特許文献】
【０００３】
【特許文献１】特開２００９−２９４８０９号公報
【発明の概要】
【発明が解決しようとする課題】
【０００４】
しかしながら、上述したキーボードには、下面に下方に向けて突出する係止爪を設けるので、キーボードの下面にシートを貼ることは難しい。したがって、キーボードの上方から電子機器本体の内部への浸水を防ぐために、キーボードの下面に防水シートを貼ることも難しい。
【０００５】
本発明は、上記に鑑みてなされたものであって、キーボードの下面に防水シートを貼ることが容易なキーボードの取付構造を提供することを目的とする。
【課題を解決するための手段】
【０００６】
上述した課題を解決し、目的を達成するために、本発明は、キーとキーとの間を区切るコスメティックフレームを備えたキーボードの取付構造において、前記キーボードの下面に開口する係止穴を前記コスメティックフレームに設ける一方、前記係止穴に係止される係止爪を前記キーボードが取り付けられるベースフレームに設けたことを特徴とする。
【０００７】
また、本発明は、上記発明において、前記係止穴は、前記コスメティックフレームにおいて左右方向に隣り合うキーとキーとの間を区切る境界部分に設けたことを特徴とする。
【０００８】
また、本発明は、上記発明において、前記係止穴は、前記係止爪を収容する収容部と、前記収容部が前記係止爪を収容した状態で前記係止穴と前記係止爪とを相対的にスライド移動させた場合に前記係止爪が係止される係止部とを有することを特徴とする。
【０００９】
また、本発明は、上記発明において、前記コスメティックフレームに前記係止穴を複数設ける一方、複数設けられた係止穴のうち取付強度を確保可能な任意の係止穴に対応する係止爪を前記ベースフレームに設けたことを特徴とする。
【発明の効果】
【００１０】
本発明にかかるキーボードの取付構造は、キーボードの下面に開口する係止穴をコスメティックフレームに設ける一方、係止穴に係止される係止爪をキーボードが取り付けられるベースフレームに設けたので、キーボードの下面から係止爪を突出させる必要がなく、キーボードの下面に防水シートを貼ることが容易である。
【００１１】
コスメティックフレームに係止穴を複数設ける一方、複数設けられた係止穴のうち取付強度を確保可能な任意の係止穴に対応する係止爪をベースプレートに設けたので、異なる型式の電子機器において、取付強度を確保可能な任意の係止穴に対応する係止爪をベースプレートに設ければ、同一型式のキーボードを共用できる。これにより、電子機器のコストを抑制することができる。
【図面の簡単な説明】
【００１２】
【図１】図１は、本発明の実施の形態であるキーボードの取付構造を採用したノートパソコンを示す斜視図である。
【図２】図２は、本発明の実施の形態であるキーボードの取付構造を示す断面図である。
【図３】図３は、図２に示したキーボードの底面図である。
【図４】図４は、ベースフレームにキーボードを取り付けた状態を示す平面図である。
【図５】図５は、図２に示したキーボードの取付構造を説明するための模式図であって、係止爪を係止穴に収容する前の状態を示す図である。
【図６】図６は、図２に示したキーボードの取付構造を説明するための模式図であって、係止爪を係止穴に収容した状態を示す図である。
【図７】図７は、図２に示したキーボードの取付構造を説明するための模式図であって、係止爪が係止穴に係止された状態を示す図である。
【図８】図８は、キーボードの取付方法を示す図であって、本体にキーボードの奥側端部を挿入する方法を示す図である。
【図９】図９は、キーボードの取付方法を示す図であって、本体にキーボードを収容する方法を示す図である。
【図１０】図１０は、キーボードの取付方法を示す図であって、ベースフレームにキーボードが係止される方法を示す図である。
【図１１】図１１は、キーボードの取付方法を示す図であって、ベースフレームにキーボードをねじ止めする方法を示す図である。
【図１２】図１２は、キーボードの取付方法を示す図であって、本体にスロットカバーを取り付ける方法を示す図である。
【図１３】図１３は、変形した形態であるキーボードの取付構造を説明するための模式図であって、係止爪を係止穴に収容する前の状態を示す図である。
【図１４】図１４は、図１３に示したキーボードの取付構造を説明するための模式図であって、係止爪を係止穴に収容した状態を示す図である。
【図１５】図１５は、図１３に示したキーボードの取付構造を説明するための模式図であって、係止爪が係止穴に係止された状態を示す図である。
【発明を実施するための形態】
【００１３】
以下に、本発明にかかるキーボードの取付構造の実施の形態を図面に基づいて詳細に説明する。ここでは、ノート型のパーソナルコンピュータ（以下、ノートパソコンという）に搭載されるキーボードの取付構造を例に説明するが、この実施の形態によりこの発明が限定されるものではない。
【００１４】
図１は、本発明の実施の形態であるキーボードの取付構造を採用したノートパソコンを示す斜視図である。図１に示すように、本発明の実施の形態であるキーボードの取付構造を採用したノートパソコン１０１は、本体１０２と、本体１０２に対して開閉可能に支持された蓋体１０３とを備えている。本体１０２には、本発明の実施の形態であるキーボードの取付構造により、ベースフレーム１（図２参照）に取り付けられたキーボード２のほか、電源（図示せず）、システム・ボード３（図２参照）、メモリー（図示せず）、ハードディスク・ドライブ（図示せず）、光学式ドライブ（図示せず）、バッテリーパック（図示せず）などが搭載してあり、蓋体１０３には、ＬＣＤユニット（図示せず）などが搭載してある。
【００１５】
図２は、本発明の実施の形態であるキーボードの取付構造を示す断面図である。図３は、図２に示したキーボードの底面図であり、図４は、ベースフレームにキーボードを取り付けた状態を示す平面図である。また、図５〜図７は、図２に示したキーボードの取付構造を説明するための模式図であって、図５は、係止爪を係止穴に収容する前の状態を示す図、図６は、係止爪を係止穴に収容した状態を示す図、図７は、係止爪が係止穴に係止された状態を示す図である。
【００１６】
図２に示すように、本発明の実施の形態であるキーボードの取付構造において、キーボード２は、本体１０２に設けられたベースフレーム１に取り付けられる。
【００１７】
本実施の形態であるキーボードの取付構造が採用されるキーボード２は、アイランド型、あるいはアイソレーションキーボードと称されるキーボード（以下、「アイランド型のキーボード」という）で、キーとキーとの間を区切るコスメティックフレーム、あるいはアイソレーションフレームと称されるプラスチックのフレーム（以下「コスメティックフレーム」という）２３を備えている。
【００１８】
アイランド型のキーボード２は、ベースプレート２１、メンブレンシート（図示せず）、コスメティックフレーム２３、キートップ２４、ラバードーム（図示せず）、ガイド機構（図示せず）を備えている。
【００１９】
ベースプレート２１は、キーボード２の基板となるもので、一つのキーボード２に配設される全てのキー（キートップ２４）が一つのベースプレート２１を共用する。ベースプレート２１は、金属製の板状体に切り起こし成型や打ち抜き成型を施したものであり、切り起こし成型や打ち抜き成型により、その上面にガイド機構を取り付けるための係止片（図示せず）が形成してある。
【００２０】
本実施の形態で取り付けられるキーボード２のベースプレート２１は、０．６ミリ厚のアルミニウムの板に切り起こし成型や打ち抜き成型を施すことにより、その上面にガイド機構を取り付けるための係止片が形成してある。
【００２１】
メンブレンシートは、押圧された場合に接点が閉じる三層構造のスイッチシートであって、上述したベースプレート２１の上に積層してある。メンブレンシートは、上面に固定接点が形成された下側シートと、固定接点と対向する可動接点が下面に形成された上側シートと、下側シートと上側シートとの間に設けられ、通常状態において固定接点と可動接点とを離隔するスペーサシートとを備えている。メンブレンシートは、固定接点および可動接点が重なる位置が押圧された場合に、固定接点と可動接点とが密着することにより、接点を閉じるものである。
【００２２】
コスメティックフレーム２３は、アイランド型のキーボード２においてキー（キートップ２４）とキー（キートップ２４）との間を区切るもので、従来型のキーボードは備えていない。コスメティックフレーム２３は、上述したように、プラスチックで構成され、ベースプレート２１に積層されたメンブレンシートをベースプレート２１とコスメティックフレーム２３とで挟み、一体に構成される。また、コスメティックフレーム２３は、左右方向に並ぶキーとキーとを区切る境界部分の一部がベースプレート２１の下面に臨み、この部分に後述する係止穴２３１が形成される。
【００２３】
キートップ２４は、信号を入力するための操作部材であり、メンブレンシートの上方に配設してある。キートップ２４は、平面視矩形の直方体形状に形成したもので、操作面となる上面２４１と上面２４１から下方に延びる側面２４２とを有している。上面２４１は、指がキー（キートップ２４）を確実に操作するように、中央が凹んだ湾曲面で形成してある。キートップ２４の下面は開口しており、キートップ２４の下面内側は、ラバードームやガイド機構を配設するための空間になっている。
【００２４】
ラバードームは、キートップ２４が押下された場合にメンブレンシートを押圧するためのもので、メンブレンシートとキートップ２４との間に配設してある。ラバードームは、シリコンゴムなどのように、可撓性を有する弾性材料で形成してある。そして、キートップ２４に操作力が加えられ、キートップ２４が押下された場合には、その操作力がラバードームに伝わり、ラバードームが弾性変形することにより、メンブレンシートを押圧することになる。これにより、メンブレンシートは、接点を閉じることになる。一方、キートップ２４から操作力が除かれると、ラバードームに弾性復元力が作用し、ラバードームは元の形状に復帰する。これにより、キートップ２４が元の位置にもどるとともに、メンブレンシートが接点を開くことになる。
【００２５】
ガイド機構は、キートップ２４を上下動可能に支承するためのもので、ベースプレート２１とキートップ２４との間に折り畳み可能に取り付けてある。
【００２６】
ベースフレーム１は、本体の剛性を高めるための構造材であり、本体筐体の高さ方向略中央に設けられ、その下方には、マイクロプロセッサなどの電子部品３１が実装されたシステム・ボード３が配設される。そして、ベースフレーム１の上面に後述する係止爪１１が形成される。なお、本実施の形態では、マグネシウム製のベースフレーム１が用いられる。
【００２７】
ところで、本発明の実施の形態であるキーボードの取付構造において、キーボード２を構成するコスメティックフレーム２３には、キーボード２の下面に開口する係止穴２３１が複数設けてあり、本体１０２に設けられたベースフレーム１には、コスメティックフレーム２３に設けた係止穴２３１に係止される係止爪１１が複数設けてある。
【００２８】
図２に示すように、係止穴２３１は、係止爪１１を係止するためのもので、コスメティックフレーム２３において、キーとキーとを区切る境界部分であって、キーボード２の下面に臨む部分に形成してある。係止穴２３１は、異なる型式のノートパソコンにおいてこの型式のキーボード２を共用するために、このベースフレーム１に設けた係止爪１１が係止される係止穴２３１のほかにも、係止穴２３１が複数設けてある。これにより、異なる型式のノートパソコンのベースプレートにおいて、この実施の形態で使われない係止穴２３１に対応する位置に係止爪を設けることにより、ベースプレートにこの型式のキーボード２を取り付けることができる。
【００２９】
図２、図５〜図７に示すように、係止穴２３１は、プラスチック成型により形成され、係止爪１１が収容される凹部２３２と、係止爪１１が係止される係止部２３３とを有している。凹部２３２は、下面がキーボードに開口したカマボコ状の凹部で、手前側において係止爪１１を収容するように形成してある。係止部２３３は、凹部２３２の奥側において係止爪１１が係止されるように、凹部の奥側下部に設けてある。これにより、係止穴２３１の凹部２３２に係止爪１１を収容した後にキーボード２を手前側にスライド移動させることにより、係止爪１１が凹部２３２の手前側から奥側に移動し、係止爪１１が係止穴２３１の係止部２３３に係止される。
【００３０】
また、係止穴２３１の係止部２３３は、係止爪１１が係止された場合に係止爪１１（基部１１１）と向き合う側面に、上方から下方に向けて拡開する傾斜面２３３ａを有している。この傾斜面２３３ａは、一部の係止爪１１が係止穴２３１に係止されずにキーボード２の一部が浮き上がっている場合に、キーボード２を取り外すことなく、当該係止爪１１を係止穴２３１に係止させるためのもので、浮き上がっているキーボード２の一部を押し込むと、当該係止爪１１が傾斜面２３３ａに沿って移動し、当該係止爪１１が係止穴２３１（係止部２３３）に係止される。
【００３１】
係止爪１１は、キーボード２が浮き上がらないように、コスメティックフレーム２３に設けた複数の係止穴２３１のうち、任意の係止穴２３１に対応するように設けてある。係止爪１１は、ダイカスト成型により形成され、基部１１１と基部１１１の上方に設けた頭部１１２とを有している。基部１１１は、直方体形状に形成してあり、係止穴２３１の凹部２３２に収容された状態で前後方向に移動可能である。頭部１１２は、係止穴２３１の係止部２３３に係止される部分であり、基部１１１よりも大きく形成してある。基部１１１と頭部１１２との間には、段差となる境界面があり、この境界面が係止部２３３の上面に係止される。
【００３２】
また、係止爪１１の頭部１１２は、係止部２３３側の側面に、下方から上方に向けて漸次細くなる傾斜面１１２ａを有している。この傾斜面１１２ａは、浮き上がっているキーボード２の一部を押し込み易くするためのもので、浮き上がっているキーボード２の一部を押し込むと、頭部１１２の傾斜面１１２ａが係止部２３３の傾斜面２３３ａに沿って移動し、係止爪１１の頭部１１２が係止穴２３１（係止部２３３）に係止される。
【００３３】
また、本発明の実施の形態である取り付け構造において、キーボード２を構成するベースプレート２１には、一つまたは複数（多くても四つ）のボス２１１（図３参照）が設けてあり、ベースフレーム１の対応する部位には対応する数の貫通穴１３（図１１参照）が設けてある。ボス２１１には、メネジが形成してあり、ベースフレーム１の裏側から貫通穴１３を挿通したネジ４により、ベースフレーム１とキーボード２とが締結される。
【００３４】
つぎに、図８〜図１２に基づいて、キーボードの取付方法を説明する。なお、図８〜図１２は、キーボードの取付方法を示す図であって、図８は、本体にキーボードの奥側端部を挿入する方法を示す図、図９は、本体にキーボードを収容する方法を示す図、図１０は、ベースフレームにキーボードを係止される方法を示す図、図１１は、ベースフレームにキーボードをねじ止めする方法を示す図、図１２は、本体にスロットカバーを取り付ける方法を示す図である。
【００３５】
キーボード２を取り付ける場合には、まず、キーボード２のコネクタ（図示せず）をシステム・ボード３のコネクタ（図示せず）に取り付ける。つぎに、図８に示すように、キーボード２の奥側端部が本体筐体のフレームの下になるように挿入する。このとき、ベースフレーム１に設けた係止爪１１とキーボード２のコスメティックフレーム２３に設けた係止穴２３１とは、図５に示す位置関係を有している。
【００３６】
つぎに、図９に示すように、キーボード２を奥側に移動させ、本体筐体にキーボード２を収容する。このとき、ベースフレーム１に設けた係止爪１１は、図６に示すように、キーボード２のコスメティックフレーム２３に設けた係止穴２３１の凹部２３２に収容される。
【００３７】
つぎに、図１０に示すように、キーボード２を本体筐体にしっかり収めるために、親指でキー（キートップ２４）を手前側に静かに押し、キーボード２を手前側にずらす。このとき、ベースフレーム１に設けた係止爪１１は、図７に示すように、キーボード２のコスメティックフレーム２３に設けた係止穴２３１の係止部２３３に係止される。
【００３８】
つぎに、図１１に示すように、ノートパソコン１０１を裏返して、裏側からベースフレーム１の貫通穴１３にネジ４を挿通させて、ベースフレーム１とキーボード２とを締結する。
【００３９】
その後、図１２に示すように、ノートパソコン１０１に下部スロットカバー５を取り付けて、キーボード２の取り付けを終了する。
【００４０】
上述した本発明の実施の形態であるキーボードの取付構造は、キーボード２の下面に開口する係止穴２３１をコスメティックフレーム２３に設ける一方、係止穴２３１に係止される係止爪１１をキーボード２が取り付けられるベースフレーム１に設けたので、キーボード２の下面から係止爪を突出させる必要がなく、キーボード２の下面に防水シートを貼ることが容易である。これにより、本実施の形態であるキーボードの取付構造を採用したノートパソコンは防水性が確保される。
【００４１】
また、コスメティックフレーム２３に係止穴２３１を複数設ける一方、複数設けられた係止穴２３１のうち取付強度を確保可能な任意の係止穴２３１に対応する係止爪１１をベースフレーム１に設けたので、異なる型式の電子機器において、取付強度を確保可能な任意の係止穴２３１に対応する係止爪をベースフレームに設ければ、同一型式のキーボード２を共用できる。これにより、本実施の形態であるキーボードの取付構造を採用したノートパソコンは製造コストを抑制できる。
【００４２】
上述した本発明の実施の形態であるキーボードの取付構造において、ベースフレーム１に設けた係止爪１１は、ダイカスト成型により形成するものとしたが、図１３〜図１５に示すように、板金加工することにより、係止爪１２を設けてもよい。
【００４３】
図１３〜図１５は、変形したキーボードの取付構造を説明するための模式図であって、図１３は、係止爪を係止穴に収容する前の状態を示す図、図１４は、係止爪を係止穴に収容した状態を示す図、図１５は、係止爪が係止穴に係止された状態を示す図である。なお、キーボード２のコスメティックフレーム２３に設けた係止穴は、上述した係止穴と同様に設けられる。
【００４４】
図１３〜図１５に示すように、係止穴２３４は、プラスチック成型により形成され、係止爪１２が収容される凹部２３５と係止爪１２が係止される係止部２３６とを有している。凹部２３５は、下面がキーボード２に開口したカマボコ状の凹部で、手前側において係止爪１２を収容するように形成してある。係止部２３６は、凹部の奥側において係止爪１２が係止されるように、凹部２３５の奥側下部に設けてある。これにより、係止穴２３４の凹部２３５に係止爪１２を収容した後にキーボード２を手前側にスライド移動させることにより、係止爪１２が凹部２３５の手前側から奥側に移動し、係止爪１２が係止穴２３４の係止部２３６に係止される。
【００４５】
また、係止穴２３４の係止部２３６は、係止爪１２が係止された場合に係止爪１２の頭部１２２の下方側面に、上方から下方に向けて拡開する傾斜面２３６ａを有している。この傾斜面２３６ａは、一部の係止爪１２が係止穴２３４に係止されずにキーボード２の一部が浮き上がっている場合に、キーボード２を取り外すことなく、当該係止爪１２を係止穴２３４に係止させるためのもので、浮き上がっているキーボード２の一部を押し込むと、当該係止爪１２が傾斜面２３６ａに沿って移動し、当該係止爪１２が係止穴２３４（係止部２３６）に係止される。
【００４６】
係止爪１２は、キーボード２が浮き上がらないように、コスメティックフレーム２３に設けた複数の係止穴２３４のうち、任意の係止穴２３４に対応するように設けてある。係止爪１２は、板金加工により形成され、基部１２１と基部１２１の奥方に設けた頭部１２２（係止部）とを有している。基部１２１と頭部１２２とは、板体を折り曲げて形成してあり、基部１２１と頭部１２２とは、係止穴２３４の凹部２３５に収容された状態で前後方向に移動可能である。頭部１２２は、係止穴２３４の係止部２３６に係止される部分であり、基部１２１よりも奥方に延在している。基部１２１と頭部１２２との間には、鉤状に形成された切欠面があり、この切欠面が係止部２３６の上面に係止される。
【００４７】
また、係止爪１２の頭部１２２は、係止部側の側面に、下方から上方に向けて漸次細くなる傾斜面（図示せず）を有している。この傾斜面は、浮き上がっているキーボード２の一部を押し込み易くするためのもので、浮き上がっているキーボード２の一部を押し込むと、頭部１２２の傾斜面が係止部２３６の傾斜面２３６ａに沿って移動し、係止爪１２の頭部１２２が係止穴２３４（係止部２３６）に係止される。
【符号の説明】
【００４８】
１    ベースフレーム
１１    係止爪
１１１    基部
１１２    頭部
１１２ａ    傾斜面
１２    係止爪
１２１    基部
１２２    頭部
１３    貫通穴
２    キーボード
２１    ベースプレート
２１１    ボス
２３    コスメティックフレーム
２３１    係止穴
２３２    凹部
２３３    係止部
２３３ａ    傾斜面
２３４    係止穴
２３５    凹部
２３６    係止部
２３６ａ    傾斜面
２４    キートップ
３    システム・ボード
３１    電子部品
４    ネジ
５    下部スロットカバー
１０１    ノートパソコン
１０２    本体
１０３    蓋体
【図１】
0005563547.tif 000002
【図２】
0005563547.tif 000003
【図３】
0005563547.tif 000004
【図４】
0005563547.tif 000005
【図５】
0005563547.tif 000006
【図６】
0005563547.tif 000007
【図７】
0005563547.tif 000008
【図８】
0005563547.tif 000009
【図９】
0005563547.tif 000010
【図１０】
0005563547.tif 000011
【図１１】
0005563547.tif 000012
【図１２】
0005563547.tif 000013
【図１３】
0005563547.tif 000014
【図１４】
0005563547.tif 000015
【図１５】
0005563547.tif 000016